(57)【要約】  【課題】洗浄し、汚れの付着を防止し、消臭し、あるいは芳香を漂わせるための水溶性の液状薬剤に用いるカルボキシメチルセルロースにおいて、水溶性の液状薬剤に針状結晶を生じさせず、液状薬剤の粘度等の性質が変化したり、容器口部のつまりを生じさせたりすることがなく、液状薬剤のカルボキシメチルセルロールに起因する性質を変化させることのないカルボキシメチルセルロースを提供する。  【解決手段】エーテル化度が１．１８以上であって、ヘーズ値１．０未満である水溶性の液状薬剤用カルボキシメチルセルロース。【特許請求の範囲】
【請求項１】
エーテル化度が１．１８以上であって、ヘーズ値１．０未満であることを特徴とする水溶性の液状薬剤用カルボキシメチルセルロース。
【発明の詳細な説明】
【技術分野】
【０００１】
本発明は、水溶性の液状薬剤に用いるカルボキシメチルセルロースに関する。
【背景技術】
【０００２】
洗浄し、汚れの付着を防止し、消臭し、あるいは芳香を漂わせるための、水溶性の液状薬剤にカルボキシメチルセルロースを配合したものが提案されている。
【特許文献１】特開昭５５−１５１０９９号公報
【特許文献２】特開平２−９７９１３号公報
【発明の開示】
【発明が解決しようとする課題】
【０００３】
しかしながら、カルボキシメチルセルロースを配合した水溶性の液状薬剤は、カルボキシメチルセルロースが針状結晶化する場合があり、液状薬剤の粘度等の性質が変化したり、容器口部のつまりを生じさせたり、所望の効果を得ることができない場合があるという問題があった。
【０００４】
これに対して、本発明は、水溶性の液状薬剤に針状結晶を生じさせないカルボキシメチルセルロースの性質を見いだし、容器口部のつまりを生じさせず、液状薬剤のカルボキシメチルセルロールに起因する性質を変化させることのない水溶性液状薬剤用カルボキシメチルセルロールを提供することを目的とする。
【課題を解決するための手段】
【０００５】
本発明者は、特定のカルボキシメチルセルロールに着目することにより、水溶性の液状薬剤に配合しても針状結晶を生じさせないことを見いだした。
すなわち、本発明のカルボキシメチルセルロールは、エーテル化度が１．１８以上であって、ヘーズ値１．０未満であることを特徴とする水溶性の液状薬剤用カルボキシメチルセルロースである。
【０００６】
エーテル化度が、１．１８より低くなると、カルボキシメチルセルロースの針状結晶を生じさせ、液体薬剤の粘度等の性質が変化したり、容器口部のつまりを生じさせたり、所望の効果を得ることができないといった不都合が生じる。ヘーズ値が、１．０以上となると、カルボキシメチルセルロースの針状結晶が目視にて認識できるようになり、液体薬剤の透明性を損なうといった不都合が生じる。
【０００７】
さらに、エーテル化度が１．１８より低くなり、ヘーズ値が１．０以上となると、カルボキシメチルセルロースの針状結晶を生じさせるだけでなく、目視にて針状結晶を認識でき液体薬剤の透明性を損なうといった不都合が生じる。
【０００８】
エーテル化度の測定方法は、試料（無水物）０．５〜０．７ｇを精密にはかり、濾紙に包んで磁製ルツボ中で灰化し、冷却した後、これを５００ｍｌビーカーに移し、水約５０ｍｌ、さらにピペットで０．０５モル/ｌ硫酸３５ｍｌを加えて３０分間煮沸する。これを冷却し、フェノールフタレイン指示薬を加えて、過剰の酸０．１モル/ｌ水酸化カリウムで逆滴定して、置換度を算出することで測定される。
【０００９】
ヘーズ値の測定方法は、全自動直読ヘーズコンピューター（スガ試験機）を用いて測定される。水溶性の液状薬剤は、親水性溶媒として、１）エタノール、１−プロパノール、２−プロパノールなどのアルカノール類、２）プロピレングリコール、ブチレングリコールなどのグリコール類、３）ジプロピレングリコールなどのポリグリコール類、４）水があげられ、プロピレングリコールと水がなかでもより好ましい。その中でも最も水が特に好ましい。その他親油性溶媒、界面活性剤、色素等も配合することができる。
【００１０】
親油性溶媒は、シリコン、高級アルコール、香料があげられ、界面活性剤はアルキル硫酸エステルナトリウム、オレフィン硫酸エステルナトリウム、アルキルベンゼンスルホン酸ナトリウムなどの陰イオン性界面活性剤、ポリオキシエチレンアルキルエーテルなどの非イオン性界面活性剤、陽イオン性界面活性剤、アルキルジメチルアミン酢酸ベタイン、アルキルアミンオキシドなどの両性界面活性剤が挙げられる。
色素等は親水性、親油性のいずれも本発明の効果を阻害しない範囲で使用可能である。
【００１１】
親水性溶媒はアルカノール類であれば揮散しやすいために組成物に変化を及ぼすことが考えられ、グリコール類およびポリグリコール類は高濃度配合すると危険物となるため使い易さとしては劣る。これらの点を考慮すると使い易さ、コスト面においては水が優れているため水を配合すればよく、親油性溶媒は撥水効果および汚れの付着防止効果を付与するためにシリコンを配合することができ、香料および有機溶媒の希釈をするために高級アルコールを配合することができる。
【発明の効果】
【００１２】
本発明によると、水溶性の液状薬剤に針状結晶を生じさせない水溶性液状薬剤用カルボキシメチルセルロースを提供することができ、容器口部のつまりを生じさせず、液状薬剤のカルボキシメチルセルロールに起因する性質を変化させることのない水溶性液状薬剤用カルボキシメチルセルロールを提供し得る。
【発明を実施するための最良の形態】
【００１３】
以下、実施例を示すが、これらに限定されるものではない。
処方例
非イオン性界面活性剤    43 
両性界面活性剤          3.0
ＣＭＣ                0.034
香料                    13 
水                    40.966
合計                   100
【００１４】
検証１
ＣＭＣサンプル
（第一工業製薬）エーテル化度  ヘーズ値    目視
１            1.17        1.1        ×
２            1.19        0.4        ○
３            1.19        0.5        ○
４            1.19        0.5        ○
５            1.20        0.3        ○
６            1.21        0.4        ○
７            1.22        0.4        ○
（注）ヘーズ値は濁るほど高い値をとる。
確認は目視とヘーズメーター（濁度計）の２つで実施
エーテル化度：グルコース１単位当りのカルボキシメチル基の比率。
【００１５】
検証２
他社（ダイセル）のＣＭＣのエーテル化度の異なるサンプル評価
１      ２  
非イオン性界面活性剤        43      43  
両性界面活性剤              3.0     3.0 
ＣＭＣ(ダイセル１３９０）
エーテル化度（1.36）        0.034    -  
ＣＭＣ(ダイセル２４５０）
エーテル化度（1.36）         -     0.034
香料                        13      13  
浮遊物                      ○      ×
(注)  ○：問題なし
×：浮遊物確認